(57)【特許請求の範囲】
【請求項１】
固定手段と、
上記固定手段と分離可能であって、固定手段によって高欄に取り付けられると共に、橋梁の側方に吊持される梯子体と、
上記梯子体の下端部から橋梁側と橋梁の反対側に向けて水平に延在する足場板と、これら足場板の上方を包囲すべく上記梯子体の支柱から外方へ突出する手摺とを具備する作業足場本体とを具備し、
上記作業足場本体のうちの少なくとも上記橋梁側の作業足場本体を、上記梯子体に対して折畳み可能に形成し、
上記作業足場本体が位置する部位における上記梯子体の横桟を、上記支柱に係脱可能に形成してなることを特徴とする橋梁点検用吊り足場。
【請求項２】
請求項１記載の橋梁点検用吊り足場において、
上記梯子体に対する橋梁側と橋梁の反対側の両方の作業足場本体を、それぞれ梯子体に対して折畳み可能に形成してなることを特徴とする橋梁点検用吊り足場。
【請求項３】
請求項１又は２記載の橋梁点検用吊り足場において、
少なくとも上記作業足場本体が位置する部位における梯子体の横桟は、一端が一方の支柱に回動可能に枢着され、他端が他方の支柱に対して係脱可能に係合されることを特徴とする橋梁点検用吊り足場。
【請求項４】
請求項１ないし３のいずれかに記載の橋梁点検用吊り足場において、
上記作業足場本体は、基端が梯子体の支柱に対して回動可能に枢着される橋梁側と橋梁の反対側の両方の足場板と、これら足場板の先端側と上記支柱にそれぞれ枢着される折畳み可能な連接部材と、略コ字状に形成され、その両端部がそれぞれ上記支柱に回動可能に枢着される１又は複数の手摺部材と、を具備することを特徴とする橋梁点検用吊り足場。
【請求項５】
請求項４記載の橋梁点検用吊り足場において、
上記足場板の先端部と手摺部材の先端部とを、それぞれヒンジピンを介して枢着される補助連接部材にて連結してなることを特徴とする橋梁点検用吊り足場。
【請求項６】
請求項１ないし５のいずれかに記載の橋梁点検用吊り足場において、
上記固定手段は、梯子体の横桟を吊持する上端が開口する係止溝を有する一対の保持部材と、上記保持部材の係止溝内に上記梯子体の横桟が係止された状態において、横桟の上方への移動を阻止するラッチと、を具備することを特徴とする橋梁点検用吊り足場。
【請求項７】
請求項１、ないし６のいずれかに記載の橋梁点検用吊り足場において、
上記固定手段は、梯子体を吊持する保持部材を高欄の上方に略水平に保持する複数の支持脚を具備すると共に、これら支持脚の下端に、それぞれ橋梁の路面及び高欄の取付基礎面に対して調節可能な高さ調整機構を具備することを特徴とする橋梁点検用吊り足場。
【請求項８】
請求項１ないし７のいずれかに記載の橋梁点検用吊り足場において、
上記固定手段は、梯子体を吊持する保持部材から高欄の笠木の両側に垂下される取付ねじと、両取付ねじに係合する係合溝を有する固定板と、上記取付ねじに螺合され、上記固定板を上記取付ねじに係合した状態で固定板を上記笠木の下面に押圧すると共に、固定板と上記保持部材との間に上記笠木を挟持する固定ナットとを具備することを特徴とする橋梁点検用吊り足場。
【請求項９】
請求項１ないし８のいずれかに記載の橋梁点検用吊り足場において、
上記固定手段は、高欄の取付基礎面に跨設されるねじ棒と、このねじ棒の先端に設けられ、梯子体の支柱を把持する把持体と、上記ねじ棒に固定され、上記取付基礎面の外側角部に係合する固定係合部材と、上記ねじ棒に螺合され、上記取付基礎面の内側角部に係合する可動係合部材とを更に具備することを特徴とする橋梁点検用吊り足場。
【請求項１０】
請求項９記載の橋梁点検用吊り足場において、
上記固定係合部材及び可動係合部材を、それぞれ取付基礎面と隣接する側面とに係合するアングル状部材にて形成すると共に、各係合部材における上記取付基礎面との係合面に合成ゴム製のシートを貼着してなることを特徴とする橋梁点検用吊り足場。
【発明の詳細な説明】
【０００１】
【発明の属する技術分野】
この発明は、橋梁点検用吊り足場に関するもので、更に詳細には、橋梁の高欄の任意の位置に取り付けられて橋梁側部ないし側部近傍の桁下部の点検確認ないし簡単な保守を可能にする橋梁点検用吊り足場に関するものである。
【０００２】
【従来の技術】
従来、この種の橋梁点検用足場として、特開平９−４１３２３号公報に記載の点検用足場が知られている。この特開平９−４１３２３号公報に記載の点検用足場は、上下に長くかつ下端部に足場板を有する足場本体と、足場本体の上部に、前方に突出するように設けられたアームと、アームの前端部に、着脱自在に取り付けられて高架道路、橋等の上にのるカウンタウェイトとを備えている。また、足場本体に昇降用梯子が設けられ、足場板の前部構成部材が、足場本体よりも前方に突出されると共に、前部構成部材を後方に折畳めるように形成されている。また、アームの前後の中間部に、高架道路、橋等の上面に当接する支持部材が設けられている。
【０００３】
このように構成される従来の点検用足場は、高架道路、橋等の上からクレーン等を利用して吊り下げられ、アームが高架道路、橋等の上に来て支持部材の下端部がその上面に当接させられた状態で、高架道路、橋等の側縁部に取り付けられる。この状態で、作業者が、高架道路、橋上から足場枠に設けられた昇降用具を利用して足場板上に下り立ち、その前部を前方に広げることにより、作業準備が整う。そして、足場板上において、高架道路、橋等における側面および下面の補修、点検作業を行うことができる。
【０００４】
【発明が解決しようとする課題】
しかしながら、従来の点検用足場は、高架道路、橋等の上からクレーン等を利用して吊り下げられる構造であるため、点検作業が大掛かりとなるという問題があった。また、従来の点検用足場は、足場本体に昇降用梯子が設けられ、また、架道路、橋等の上にのるカウンタウェイトを備える構造であるため、構造が複雑かつ大型となり、不使用時の保管や現場への運搬等の取扱いが面倒であるという問題があった。
【０００５】
この発明は、上記事情に鑑みなされたもので、構造を簡単にし、かつ小型にして、現場への運搬や保管を容易にし、また、高欄への取付及び取り外しを容易に行えるようにした橋梁点検用吊り足場を提供することを目的とするものである。
【０００６】
【課題を解決するための手段】
上記課題を解決するために、この発明の橋梁点検用吊り足場は、固定手段と、上記固定手段と分離可能であって、固定手段によって高欄に取り付けられると共に、橋梁の側方に吊持される梯子体と、  上記梯子体の下端部から橋梁側と橋梁の反対側に向けて水平に延在する足場板と、これら足場板の上方を包囲すべく上記梯子体の支柱から外方へ突出する手摺とを具備する作業足場本体とを具備し、  上記作業足場本体のうちの少なくとも上記橋梁側の作業足場本体を、上記梯子体に対して折畳み可能に形成し、  上記作業足場本体が位置する部位における上記梯子体の横桟を、上記支柱に係脱可能に形成してなることを特徴とする（請求項１）。この場合、上記梯子体に対する橋梁側と橋梁の反対側の両方の作業足場本体を、それぞれ梯子体に対して折畳み可能に形成する方が好ましい（請求項２）。
【０００７】
この発明において、少なくとも上記作業足場本体が位置する部位における梯子体の横桟は、一端を一方の支柱に回動可能に枢着し、他端を他方の支柱に対して係脱可能に係合するように形成する方が好ましい（請求項３）。
【０００８】
また、上記作業足場本体は、基端が梯子体の支柱に対して回動可能に枢着される橋梁側と橋梁の反対側の両方の足場板と、これら足場板の先端側と上記支柱にそれぞれ枢着される折畳み可能な連接部材と、略コ字状に形成され、その両端部がそれぞれ上記支柱に回動可能に枢着される１又は複数の手摺部材と、を具備する方が好ましい（請求項４）。この場合、上記足場板の先端部と手摺部材の先端部とを、それぞれヒンジピンを介して枢着される補助連接部材にて連結する方が好ましい（請求項５）。
【０００９】
また、この発明において、上記固定手段は、梯子体の横桟を吊持する上端が開口する係止溝を有する一対の保持部材と、上記保持部材の係止溝内に上記梯子体の横桟が係止された状態において、横桟の上方への移動を阻止するラッチと、を具備する方が好ましい（請求項６）。
【００１０】
また、上記固定手段は、梯子体を吊持する保持部材を高欄の上方に略水平に保持する複数の支持脚を具備すると共に、これら支持脚の下端に、それぞれ橋梁の路面及び高欄の取付基礎面に対して調節可能な高さ調整機構を具備する方が好ましい（請求項７）。
【００１１】
また、上記固定手段は、梯子体を吊持する保持部材から高欄の笠木の両側に垂下される取付ねじと、両取付ねじに係合する係合溝を有する固定板と、上記取付ねじに螺合され、上記固定板を上記取付ねじに係合した状態で固定板を上記笠木の下面に押圧すると共に、固定板と上記保持部材との間に上記笠木を挟持する固定ナットとを具備する方が好ましい（請求項８）。
【００１２】
加えて、上記固定手段は、高欄の取付基礎面に跨設されるねじ棒と、このねじ棒の先端に設けられ、梯子体の支柱を把持する把持体と、上記ねじ棒に固定され、上記取付基礎面の外側角部に係合する固定係合部材と、上記ねじ棒に螺合され、上記取付基礎面の内側角部に係合する可動係合部材とを更に具備する方が好ましい（請求項９）。この場合、上記固定係合部材及び可動係合部材を、それぞれ取付基礎面と隣接する側面とに係合するアングル状部材にて形成すると共に、各係合部材における上記取付基礎面との係合面に合成ゴム製のシートを貼着する方が好ましい（請求項１０）。
【００１３】
請求項１，２，３記載の発明によれば、固定手段と、固定手段と分離可能であって、固定手段によって梯子体を高欄に取り付けて橋梁の側方に吊持し、梯子体の下端部に設けられる作業足場本体を、梯子体から展開して、橋梁側部の保守・点検作業を行うことができる。この際、作業足場本体が位置する部位における梯子体の横桟が、支柱に係脱可能に形成されるので、作業者は梯子体の外側及び内側の作業足場本体への移動を容易に行うことができる。また、固定手段と梯子体は互いに分離可能のため、設置に際して、固定手段のみを確実に固定し、その後、設置作業を行えるので、設置が容易となり、保管に際しても運搬が容易になる。
【００１４】
請求項２記載の発明によれば、梯子体に対する橋梁側と橋梁の反対側の両方の作業足場本体を、それぞれ梯子体に対して折畳み可能に形成することにより、吊り足場をコンパクトに折り畳んで、保管することができると共に、現場への運搬を容易にすることができる。
【００１５】
請求項４記載の発明によれば、作業足場本体が、基端が梯子体の支柱に対して回動可能に枢着される足場板と、この足場板の先端側と支柱にそれぞれ枢着される折畳み可能な連接部材と、略コ字状に形成され、その両端部がそれぞれ支柱に枢着される１又は複数の手摺部材とを具備することにより、連接部材によって足場板の展開状態が保持されるので、作業足場本体を強固にすることができると共に、作業者の安全性の確保が図れる。この場合、足場板の先端部と手摺部材の先端部とを、それぞれヒンジピンを介して枢着される補助連接部材にて連結することにより、更に、作業足場本体を強固にすることができると共に、作業者の安全性の確保が図れる（請求項５）。
【００１６】
請求項６記載の発明によれば、固定手段が、梯子体の横桟を吊持する上端が開口する係止溝を有する一対の保持部材と、保持部材の係止溝内に梯子体の横桟が係止された状態において、横桟の上方への移動を阻止するラッチと、を具備することにより、梯子体の任意の横桟を、固定手段の保持部材の係止溝内に上方から係止させ、その状態でラッチにより上方への移動を阻止させた状態で吊り足場を吊持することができる。また、ラッチの係合を解除した後、梯子体の横桟を保持部材の係止溝から取り外して吊り足場を引き上げることができる。また、足場の位置の上下調整も保持部材に係止する横桟を上下の横桟に変更することにより、吊り足場の吊り下げ長さを、横桟の間隔に合わせて容易に調節することができると共に、吊り足場の着脱を容易にすることができる。
【００１７】
請求項７記載の発明によれば、固定手段は、梯子体を吊持する保持部材を高欄の上方に略水平に保持する複数の支持脚を具備すると共に、これら支持脚の下端に、それぞれ橋梁の路面及び高欄の取付基礎面に対して調節可能な高さ調整機構を具備することにより、大きさや種類の異なる橋梁の高欄に対応して固定手段を高欄に取り付けることができる。したがって、大きさや種類の異なる橋梁に対応して吊り足場を吊持することができ、多くの種類の橋梁の保守・点検作業を可能にすることができる。
【００１８】
請求項８記載の発明によれば、固定手段は、梯子体を吊持する保持部材から高欄の笠木の両側に垂下される取付ねじと、両取付ねじに係合する係合溝を有する固定板と、取付ねじに螺合され、固定板を取付ねじに係合した状態で固定板を笠木の下面に押圧すると共に、固定板と保持部材との間に笠木を挟持する固定ナットとを具備することにより、固定手段を簡単かつ強固に高欄に固定することができる。したがって、吊り足場を橋梁の側部に簡単かつ強固に吊持することができる。
【００１９】
請求項９記載の発明によれば、固定手段は、高欄の取付基礎面に跨設されるねじ棒と、このねじ棒の先端に設けられ、梯子体の支柱を把持する把持体と、ねじ棒に挿通され、取付基礎面の外側角部に係合する固定係合部材と、ねじ棒に挿通され、取付基礎面の内側角部に係合する可動係合部材とを更に具備することにより、異なる寸法の高欄の取付基礎面に対応させてねじ棒を固定することができると共に、ねじ棒の先端に設けられた把持体によって梯子体の支柱を把持することができる。したがって、吊り足場の横方向の揺れを抑制することができると共に、吊り足場の吊持を更に強固にすることができる。この場合、固定係合部材及び可動係合部材を、それぞれ取付基礎面と隣接する側面とに係合するアングル状部材にて形成すると共に、各係合部材における取付基礎面との係合面に合成ゴム製のシートを貼着することにより、高欄の取付基礎面の表面に多少の凹凸が存在してもねじ棒を確実に固定することができるので、更に吊り足場の吊持を強固かつ安全にすることができる（請求項１０）。
【００２０】
【発明の実施の形態】
以下に、この発明の橋梁点検用吊り足場の実施形態を添付図面に基づいて詳細に説明する。
【００２１】
図１は、この発明の橋梁点検用吊り足場の一例の使用状態を示す斜視図、図２は、この発明の橋梁点検用吊り足場の取付状態を示す側面図である。
【００２２】
上記橋梁点検用吊り足場１（以下に吊り足場１という）は、橋梁２の側縁部に起立して設けられた取付基礎面４に立設された高欄３に固定手段３０によって取り付けられると共に、橋梁２の側方に吊持される梯子体１０と、この梯子体１０の下端部から橋梁側と橋梁の反対側に向けて水平に延在する足場板２１，２１と、これらの足場板２１の上方を包囲すべく梯子体１０の支柱１１から外方へ突出し安全柵を形成する手摺２２とを具備する２つの作業足場本体２０Ａ，２０Ｂとで主要部が構成されている。また、梯子体１０の両側すなわち橋梁側（内側）と反対側（外側）に設けられる作業足場本体２０Ａ，２０Ｂは、梯子体１０に対して折畳み可能に形成されている。
【００２３】
上記梯子体１０は、図３に示すように、一対の支柱１１と、両支柱１１間に適宜間隔をおいて架設される複数（図面においては９本）の横桟１２ａ〜１２ｉとで構成されている。また、作業足場本体２０Ａ，２０Ｂが位置する部位における２本の横桟１２ａ，１２ｂは、支柱１１に係脱可能に形成されている。この場合、横桟１２ａ，１２ｂは、一端が一方の支柱１１にヒンジピン１３をもって回動可能に枢着され、他端部に設けられたフック部１４が他方の支柱１１に突設された係止ピン１５に係脱可能に構成されている（図３参照）。なお、上記支柱１１は、チャンネル状のアルミニウム製押出形材にて形成されている。また、横桟１２は、断面中空楕円状のアルミニウム製押出形材にて形成されており、支柱１１の内側側壁片１１ａに穿設された縦長楕円形状の取付孔１１ｂ内に貫挿され、図示しないリベットにて支柱１１に固定されている（図１２参照）。
【００２４】
上記作業足場本体２０Ａ，２０Ｂは、図１、図２、図５及び図６に示すように、基端が梯子体１０の支柱１１に対して回動可能に枢着される足場板２１と、この足場板２１の先端側と支柱１１にそれぞれ枢着される折畳み可能な連接部材２５と、略コ字状に形成され、その両端部がそれぞれ支柱１１に枢着される手摺を構成する上部手摺部材２３及び下部手摺部材２４とで主に構成されている。ここでは、上部手摺部材２３と下部手摺部材２４の２本を設ける場合について説明したが、上部手摺部材２３のみを設けて手摺を構成してもよい。
【００２５】
上記足場板２１は、図１及び図７に示すように、周辺に起立壁２１ａを有する略方形状に形成されており、その基端部に固定されたブラケット１６が、支柱１１の下端部にヒンジピン２６ａをもって回動可能に枢着されている。なお、符号２６Ｓは足場板２１が水平位置より回転しないように固定するストッパで、ブラケット１６に固定されている。
【００２６】
また、上部手摺部材２３及び下部手摺部材２４は、それぞれ両端部がヒンジピン２６ｂをもって支柱１１の内側側壁片１１ａに回動可能に枢着されている。また、連接部材２５は、上端が傾斜状に屈曲する長尺の上部連接部材２５ａと直状の短尺の下部連接部材２５ｂとで構成されている。
【００２７】
この場合、上部連接部材２５ｂは、上端部がヒンジピン２６ｃをもって支柱１１の外側側壁片１１ｃに回動可能に枢着され、下部連接部材２５ｂの下端部は、ヒンジピン２６ｄをもって足場板２１の先端部側面に回動可能に枢着され、そして、上部連接部材２５ａの下端部と、下部連接部材２５ｂの上端部とがヒンジピン２６ｅをもって互いに回動可能に枢着されている。なお、この場合、上部連接部材２５ａ及び下部連接部材２５ｂは、図８に示すように、それぞれ両側縁が互いに相反する方向に起立する起立縁２７を有する断面略クランク状に形成されて、背中合わせに連結されると共に、連結側の端部にそれぞれ相手側に起立縁２７が当接する切欠き部２８が設けられている。このように、上部連接部材２５ａと下部連接部材２５ｂとを回動可能に連結することにより、作業足場本体２０Ａ，２０Ｂが支柱１１から展開されて張り出された際に、両連接部材２５ａ，２５ｂの切欠き部２８に起立縁２７が当接係合し、上部連接部材２５Ａと下部連接部材２５ｂとが直状となって足場板２１の展開状態を保持することができ、また、足場板２１を支柱１１側に折り畳む際には、両連接部材２５ａ，２５ｂの起立縁２７は干渉することなく両連接部材２５ａ，２５ｂが折り畳まれる（図５参照）。
【００２８】
なお、支柱１１と足場板２１とを枢着するヒンジピン２６ａ、支柱１１と上部手摺部材２３及び下部手摺部材２４とを枢着するヒンジピン２６ｂ及び支柱１１と上部連接部材２５とを枢着するヒンジピン２６ｃには、それぞれ合成樹脂製のワッシャ（図示せず）が介在されて、自重によって作業足場本体２０Ａ，２０Ｂが展開せず、力を加えることで、作業足場本体２０Ａ，２０Ｂが展開できるように構成されている。
【００２９】
また、足場板２１の先端部と上部及び下部手摺部材２３，２４の先端部とは、それぞれヒンジピン２６ｆ，２６ｇ，２６ｈを介して回動可能に枢着されを補助連接部材２９にて連結されている（図１及び図７参照）。このように、足場板２１の先端部と上部及び下部手摺部材２３，２４の先端部とを補助連接部材２９にて連結することにより、作業足場本体２０Ａ，２０Ｂの強度を向上させることができると共に柵を形成するので、作業者の安全性の確保を図ることができる。
【００３０】
なお、上記足場板２１、上部手摺部材２３、下部手摺部材２４、上部連接部材２５ａ、下部連接部材２５ｂ及び補助連接部材２９は、それぞれアルミニウム製部材例えばアルミニウム製押出形材等にて形成されている。
【００３１】
一方、上記固定手段３０は、高欄３に取り付けられて、梯子体１０の横桟１２を吊持する固定具５０と、高欄３の取付基礎面４に固定されて、梯子体１０の両支柱１１を把持する複数例えば２個の補助固定具７０とで主に構成されている。
【００３２】
上記固定具５０は、図２、図９及び図１０に示すように、下部水平片５１と上端が開口する係止溝５２を有する垂直片５３とからなるアングル状に形成された一対の保持部材５４と、保持部材５４の係止溝５２内に梯子体１０の横桟１２が係止された状態において、横桟１２の上方への移動を阻止するラッチ４０と、保持部材５４を高欄３の上方に略水平に保持する複数例えば４本の支持脚５５ａ，５５ｂ，５５ｃ，５５ｄとを有するパイプ状の一対の支持体５５と、各支持脚５５ａ，５５ｂ，５５ｃ，５５ｄの下端に装着される高さ調整機構８０と、両保持部材５４の先端部を残した部分に架設される天板５６と、両保持部材５４を高欄３の笠木３ａに固定する取付具６０とを具備している。
【００３３】
上記支持体５５は、短尺の前方支持脚５５ａ又は５５ｃと、長尺の後方支持脚５５ｂ又は５５ｄと、前方支持脚５５ａ，５５ｃと、後方支持脚５５ｂ，５５ｄの上端同士を連結する連結部５７とを折曲してなり、両支持体５５の後方支持脚５５ｂ，５５ｄ間には、適宜間隔をおいて２本の横パイプ部材５８が溶接等によって連結されている。このように構成される支持体５５の前方支持脚５５ａ，５５ｃの上端部は、保持部材５４の下部水平片５１の対向する部位に設けられた円弧状の切欠き部５４ａ内に係合された状態で保持部材５４に取り付けられ、この状態で、上方に位置する天板５６を例えばリベット５９によって保持部材５４に固定することで、保持部材５４と支持体５５及び天板５６とが一体固定されている（図１０及び図１３参照）。
【００３４】
上記ラッチ４０は、図１１及び図１２に示すように、保持部材５４の垂直片５３における係止溝５２の側方に突設される筒状ガイド４１と、この筒状ガイド４１の中空部内に摺動及び回転自在に貫挿される係止ロッド４２とを具備し、係止ロッド４２から略直角に屈曲されたハンドル４３を、筒状ガイド４１の軸方向に設けられたガイドスリット４４内と、ガイドスリット４４の両端部に交差状に連なるロック解除用スリット４５ａ及びロック用スリット４５ｂ内に選択的に移動させて、保持部材５４の係止溝５２に対して梯子体１０の横桟例えば横桟１２ｉを係止すなわちロックするか、あるいは、係止溝５２から横桟１２ｉを取り外し（ロック解除）可能にしている。すなわち、図１１に示すロック解除状態におかれた係止ロッド４２のハンドル４３を、ロック解除用スリット４５ａから矢印▲１▼の方向に回動した後、ガイドスリット４４内を矢印▲２▼方向に移動して、係止ロッド４２を保持部材５４の係止溝５２の上方へ移動し、次に、図１２に矢印▲３▼に示すように、ハンドル４３を回動して、ロック用スリット４５ｂ内に係止することで、梯子体の横桟１２ｉを係合（ロック）している。なお、ロックを解除する場合は、上記操作と逆の操作を行えばよい。
【００３５】
高さ調整機構８０は、各支持脚５５ａ，５５ｂ，５５ｃ，５５ｄの下端に溶接等によって固着されるナット８１と、このナット８１に螺合する調節ねじ軸８２とで構成されている。なお、調節ねじ軸８２の下端には、橋梁２の路面２ａ及び高欄３の取付基礎面４等の設置面への安定を図るための椀形の支持脚片８３が装着されている。
【００３６】
上記取付具６０は、図１３に示すように、天板５６、支持体５５の連結部５７及び保持部材５４の下部水平片５１に穿設された貫通孔６１を貫通して保持部材５４から高欄の笠木の両側に垂下される取付ボルト６２と、両取付ボルト６２に係合する係合溝６３を有する固定板６４と、取付ボルト６２に螺合され、固定板６４を取付ボルト６２に係合した状態で固定板６４を笠木３ａの下面に押圧すると共に、固定板６４と保持部材５４との間に笠木３ａを挟持する固定ナット６５とを具備している。これら４本の取付ボルト６２は、取付ボルト固定用ナット６２ａと、緩み止めナット６２ｂのダブルナットにて天板５６、支持体５５の連結部５７に固定されている。
【００３７】
なお、上記保持部材５４、支持体５５、天板５６び横パイプ部材５８は、それぞれアルミニウム製部材例えばアルミニウム製押出形材にて形成されている。
【００３８】
一方、補助固定具７０は、図１４に示すように、高欄３の取付基礎面４に跨設されるねじ棒７１と、このねじ棒７１の先端に例えば溶接によって固着され、梯子体１０の支柱１１を把持する略コ字状の把持体７２と、ねじ棒７１に固定され、取付基礎面４の外側角部４ａに係合する固定係合部材７３と、ねじ棒７１に螺合され、取付基礎面４の内側角部４ｂに係合する可動係合部材７４とで構成されている。この場合、固定係合部材７３及び可動係合部材７４は、それぞれ取付基礎面４と隣接する側面とに係合するアングル材７３ａ，７４ａを具備すると共に、各係合部材７３，７４の係合面に合成ゴム製のシート７５が貼着されている。なお、固定係合部材７３は、アングル材７３ａに溶接等によって固着された丸パイプ７３ｂをねじ棒７１に貫通させている。また、可動係合部材７４は、アングル材７４ａに溶接等によって固着された丸パイプ７４ｂをねじ棒７１に貫通させている。また、ナット７３ｃは、アングル材７３ａの位置決め用ナットで、蝶ナット７４ｃは締付け用ナットである。後述する手順に従いナット７３ｃで取付基礎面４の外側角部４ａにアングル材７３ａが当接するように調整し、蝶ナット７４ｃを締めることにより、取付基礎面４の内側角部４ｂにアングル材７４ａを当接させ、更に取付基礎面４をアングル材７３ａ，７４ａで挟み込むことで、補助固定具７０を取付基礎面４に固定する。
【００３９】
次に、上記のように構成される吊り足場１の取付手順について説明する。まず、固定具５０の前方支持脚５５ａ，５５ｃと後方支持脚５５ｂ，５５ｄとを高欄３の両側に位置させるようにして、固定具５０を高欄３の上方から配置する。このとき、取付具６０の両取付ボルト６２を高欄３の両側に配設する。次に、取付ボルト６２に固定板６４を係合させ、取付ボルト６２の下部に螺合された固定ナット６５を締め付けて固定板６４を笠木３ａの下面に押圧すると共に、固定板６４と保持部材５４との間に笠木３ａを挟持して、固定具５０を高欄３に固定する。その後、各支持脚５５ａ，５５ｂ，５５ｃ，５５ｄの下端部に装着された高さ調整機構８０を調節して、支持脚５５ａ，５５ｂ，５５ｃ，５５ｄを橋梁２の路面２ａ及び取付基礎面４に圧接させる。すなわち、前方支持脚５５ａ，５５ｃの高さ調整機構８０を調節して前方支持脚５５ａ，５５ｃを取付基礎面４に圧接すると共に、後方支持脚５５ｂ，５５ｄを橋梁２の路面２ａに圧接して、固定具５０の高欄３への固定を強固にする。これにより、保持部材５４は略水平に配設される。
【００４０】
一方、予め、梯子体１０から外側の作業足場本体２０Ａを展開しておく。そして、この状態で、梯子体１０を橋梁２の側方に移動させた後、梯子体１０を橋梁２側に移動させて、吊り足場１の吊り下げ長さに応じて、梯子体１０の上部側における任意の横桟例えば横桟１２ｉを、保持部材５４に設けられた係止溝５２内に落とし込むようにして係合させる。横桟１２ｉを保持部材５４の係止溝５２に係合させた後、ラッチ４０のハンドル４３を持って係止ロッド４２を前方に移動させ、前方のロック用スリット４５ｂにハンドル４３を係止させた状態にして、横桟１２ｉの係止溝５２からの浮き上がりを阻止して固定（ロック）する。次に、補助固定具７０の固定係合部材７３と可動係合部材７４を高欄３の取付基礎面４の外側角部４ａの外側及び内側角部４ｂの内側に位置させるようにして、ねじ棒７１を取付基礎面４に跨設すると共に、ねじ棒７１の先端部に設けられた（固着された）把持体７２で梯子体１０の支柱１１の両側部を把持する。次にナット７３ｃを回転させることにより固定係合部材７３のアングル７３ａを取付基礎面４の外側角部４ａの外面に接触するまで移動させ、次に、蝶ナット７４ｃを締め付けることにより可動係合部材７４のアングル７４ａにて取付基礎面４の外側角部４ａの外側角部を締め付ける。これにより補助固定具７０を取付基礎面４に固定させる。
【００４１】
上記のようにして、梯子体１０を橋梁２の側部に吊持した状態で、作業者が梯子体１０の上端側から下端部側の横桟１２ｉ，１２ｈ，１２ｇ，…に足、手を掛けながら梯子体１０の下部の外側作業足場本体２０Ａに到達することができる。外側作業足場本体２０Ａに到達した作業者は、外側作業足場本体２０Ａに位置した状態で、内側作業足場本体２０Ｂを展開して使用可能にする。この状態で、作業者は、梯子体１０の下端部側の横桟１２の支柱１１との係合を解くようにして開放して、内側作業足場本体２０に移動して、橋梁２の側部の点検位置により近い場所に移動した状態で点検作業を行うことができる。
【００４２】
点検作業を終了した後、作業者は、外側作業足場本体２０Ａ側に移動して、内側作業足場本体２０Ｂを上述の操作と逆の操作によって梯子体１０側に折畳み、梯子体１０の下部の横桟１２ａ，１２ｂを支柱１１に係合させる。そして、作業者は、梯子体１０を上って橋梁２に移動した後、点検足場の解体を行う。その手順は、始めに補助固定具７０を取り外し、次に、ラッチ４０の係止ロッド４２を、ロック位置すなわち保持部材５４に設けられて係止溝５２の上方位置から後退させてロック状態を解除して、梯子体１０を上方に持ち上げた後、橋梁側に移動して高欄３から吊り足場１を取り外すことができる。高欄３から取り外された吊り足場１は、外側作業足場本体２０Ａが梯子体１０側に折り畳まれて運搬される。
【００４３】
最後に、固定手段３０を構成する固定具５０を、上記と逆の操作によって高欄３から取り外すことができる。
【００４４】
なお、上記実施形態では、両側の作業足場本体２０Ａ，２０Ｂが梯子体１０に対してそれぞれ折畳み可能に形成される場合について説明したが、少なくとも内側作業足場本体２０Ｂのみを梯子体１０に対して折畳み可能に形成してもよい。
【００４５】
また、上記実施形態では、一つの吊り足場１のみを用いて橋梁２の保守・点検作業を行う場合について説明したが、複数例えば二つの吊り足場１を適宜間隔をおいて高欄３に吊持して状態で、両吊り足場１の足場板２１間に補助足場板を架設して、保守・点検作業領域の拡張を図れるようにすることも可能である。この場合、手摺を構成する上部手摺部材２３及び下部手摺部材２４間に補助手摺を架設する方が好ましい。
【００４６】
【発明の効果】
以上に説明したように、この発明は上記のように構成されているので、以下のような優れた効果が得られる。
【００４７】
（１）請求項１，２，３記載の発明によれば、固定手段と、固定手段と分離可能であって、固定手段によって梯子体を高欄に取り付けて橋梁の側方に吊持し、梯子体の下端部に設けられる作業足場本体を、梯子体から展開することができるので、クレーン等によって吊り下げずに吊り足場の高欄に吊持することができる。したがって、構造を簡単にし、かつ小型にして、現場への運搬や保管を容易にし、また、高欄への取付及び取り外しを容易にすることができる。また、作業足場本体が位置する部位における梯子体の横桟が、支柱に係脱可能に形成されるので、作業者は梯子体の外側及び内側の作業足場本体への移動を容易に行うことができ、橋梁側部の保守・点検作業を容易に行うことができる。また、固定手段と梯子体は互いに分離可能のため、設置に際して、固定手段のみを確実に固定し、その後、設置作業を行えるので、設置が容易となり、保管に際しても、運搬が容易になる。
【００４８】
（２）請求項２記載の発明によれば、吊り足場をコンパクトに折り畳んで、保管することができると共に、現場へ運搬することができるので、上記（１）に加えて更に保管時のスペースを少なくできると共に、現場への運搬を容易にすることができる。
【００４９】
（３）請求項４記載の発明によれば、作業足場本体が、基端が梯子体の支柱に対して回動可能に枢着される足場板と、足場板の先端側と支柱にそれぞれ枢着される折畳み可能な連接部材と、略コ字状に形成され、その両端部がそれぞれ支柱に回動可能に枢着される手摺部材とを具備することにより、連接部材によって足場板の展開状態が保持されるので、上記（１）、（２）に加えて更に作業足場本体を強固にすることができると共に、作業者の安全性の確保を図ることができる。この場合、足場板の先端部と手摺部材の先端部とを補助連接部材にて連結することにより、更に、作業足場本体を強固にすることができると共に、作業者の安全性の確保を図ることができる（請求項５）。
【００５０】
（４）請求項６記載の発明によれば、梯子体の任意の横桟を、固定手段の保持部材の係止溝内に上方から係止させ、その状態でラッチにより上方への移動を阻止させた状態で吊り足場を吊持することができ、また、ラッチの係合を解除した後、梯子体の横桟を保持部材の係止溝から取り外して吊り足場を引き上げることができる。また、足場の位置の上下調整も保持部材に係止する横桟を上側又は下側等他の横桟に変更することにより、上記（１）、（２）に加えて更に吊り足場の吊り下げ長さを、横桟の間隔に合わせて容易に調節することができると共に、吊り足場の高欄への着脱を容易にするすることができる。
【００５１】
（５）請求項７記載の発明によれば、固定手段は、梯子体を吊持する保持部材を高欄の上方に略水平に保持する複数の支持脚を具備すると共に、これら支持脚の下端に、それぞれ橋梁の路面及び高欄の取付基礎面に対して調節可能な高さ調整機構を具備することにより、大きさや種類の異なる橋梁の高欄に対応して固定手段を高欄に取り付けることができる。したがって、上記（１）、（２）に加えて更に大きさや種類の異なる橋梁に対応して吊り足場を強固かつ確実に吊持することができ、異なる大きさや種類の橋梁の保守・点検作業を可能にすることができる。
【００５２】
（６）請求項８記載の発明によれば、固定手段は、梯子体を吊持する保持部材から高欄の笠木の両側に垂下される取付ねじと、両取付ねじに係合する係合溝を有する固定板と、取付ねじに螺合され、固定板を取付ねじに係合した状態で固定板を笠木の下面に押圧すると共に、固定板と保持部材との間に笠木を挟持する固定ナットとを具備することにより、固定手段を簡単かつ強固に高欄に固定することができる。したがって、上記（１）、（２）に加えて更に吊り足場を橋梁の側部に簡単かつ強固に吊持することができる。
【００５３】
（７）請求項９記載の発明によれば、固定手段は、高欄の取付基礎面に跨設されるねじ棒と、このねじ棒の先端に設けられ、梯子体の支柱を把持する把持体と、ねじ棒に挿通され、取付基礎面の外側角部に係合する固定係合部材と、ねじ棒に挿通され、取付基礎面の内側角部に係合する可動係合部材とを具備することにより、異なる寸法の高欄の取付基礎面に対応させてねじ棒を固定することができると共に、ねじ棒の先端に設けられた把持体によって梯子体の支柱を把持することができる。したがって、上記（１）〜（６）に加えて更に吊り足場の横方向の揺れを抑制することができると共に、吊り足場の吊持を更に強固にすることができる。この場合、固定係合部材及び可動係合部材を、それぞれ取付基礎面と隣接する側面とに係合するアングル状部材にて形成すると共に、各係合部材における上記取付基礎面との係合面に合成ゴム製のシートを貼着することにより、高欄の取付基礎面の表面に多少の凹凸が存在してもねじ棒を確実に固定することができるので、更に吊り足場の吊持を強固かつ安全にすることができる（請求項１０）。
【図面の簡単な説明】
【図１】  この発明の橋梁点検用吊り足場の一例の使用状態を示す斜視図である。
【図２】  上記吊り足場の高欄への取付状態を示す側面図である。
【図３】  この発明における梯子体の正面図である。
【図４】  この発明における固定手段の取付状態を示す側面図である。
【図５】  この発明の吊り足場の折畳み状態を示す側面図（ａ）及び外側作業足場本体を展開した状態を示す側面図（ｂ）である。
【図６】上記吊り足場の両側の作業足場本体を展開した状態を示す側面図である。
【図７】この発明における作業足場本体の展開状態を示す要部斜視図である。
【図８】この発明における連接部材の要部を示す分解斜視図である。
【図９】この発明における固定手段を構成する固定具の側面図（ａ）及び（ａ）のＩ部を示す拡大図（ｂ）である。
【図１０】上記固定具の平面図（ａ）、（ａ）のII−II線に沿う断面図（ｂ）及び（ａ）のIII−III線に沿う断面図（ｃ）である。
【図１１】この発明におけるラッチの取付状態を示す斜視図である。
【図１２】上記ラッチの係合（ロック）状態を示す斜視図である。
【図１３】この発明における固定手段を構成する取付具を示す分解斜視図である。
【図１４】この発明における固定手段を構成する補助固定具の側面図（ａ）及び底面図（ｂ）である。
【符号の説明】
１  吊り足場
２  橋梁
２ａ  路面
３  高欄
３ａ  笠木
４  取付基礎面
４ａ  外側角部
４ｂ  内側角部
１０  梯子体
１１  支柱
１２ａ〜１２ｉ  横桟
１３  ヒンジピン
１４  フック部
１５  係止ピン
２０Ａ，２０Ｂ  作業足場本体
２１  足場板
２２  手摺
２３  上部手摺部材（手摺）
２４  下部手摺部材（手摺）
２５  連接部材
２５ａ  上部連接部材
２５ｂ  下部連接部材
２６ａ〜２６ｅ  ヒンジピン
２９  補助連接部材
３０  固定手段
４０  ラッチ
５０  固定具
５２  係止溝
５４  保持部材
５５  支持体
５５ａ〜５５ｄ  支持脚
６０  取付具
６１  貫通孔
６２  取付ボルト
６３  係合溝
６４  固定板
６５  固定ナット
７０  補助固定具
７１  ねじ棒
７２  把持体
７３  固定係合部材
７４  可動係合部材
７５  合成樹脂製シート
８０  高さ調整機構
８１  ナット
８２  調節ねじ
８３  支持脚片
【図１】
0003812427.tif 000002
【図２】
0003812427.tif 000003
【図３】
0003812427.tif 000004
【図４】
0003812427.tif 000005
【図５】
0003812427.tif 000006
【図６】
0003812427.tif 000007
【図７】
0003812427.tif 000008
【図８】
0003812427.tif 000009
【図９】
0003812427.tif 000010
【図１０】
0003812427.tif 000011
【図１１】
0003812427.tif 000012
【図１２】
0003812427.tif 000013
【図１３】
0003812427.tif 000014
【図１４】
0003812427.tif 000015